(57)【特許請求の範囲】
【請求項１】
複数の肯定応答（ＡＣＫ）または否定応答（ＮＡＣＫ）をバンドルするためのバンドリング構成を示すシグナリングを受信することと、
少なくとも１つのサブフレーム内で複数の符号語を受信することと、
前記複数の符号語を復号することと、
前記符号語の復号結果に基づいて各符号語のＡＣＫまたはＮＡＣＫを判定することと、
前記バンドリング構成に従って、バンドルされたＡＣＫ情報を入手するために、前記複数の符号語の複数のＡＣＫおよびＮＡＣＫをバンドルすることと、ここにおいて、前記バンドルされたＡＣＫ情報は、前記複数の符号語を用いて形成された符号語の複数のセットの複数のバンドルされたＡＣＫ／ＮＡＣＫを備え、各バンドルされたＡＣＫ／ＮＡＣＫは、符号語の１つのセットのバンドルされたＡＣＫまたはバンドルされたＮＡＣＫを備え、前記複数の符号語の複数のＡＣＫおよびＮＡＣＫを前記バンドルすることは、前記複数の符号語のそれぞれのＡＣＫ、ＮＡＣＫ、またはダウンリンク割当てを受信しなかったことを示す不連続伝送（ＤＴＸ）を入手することと、所定のマッピングに基づいて、前記複数の符号語の複数のＡＣＫ、ＮＡＣＫ、およびＤＴＸを前記バンドルされたＡＣＫ情報の複数のビットにマッピングすることとを備える、
前記複数の符号語のフィードバックとして、前記バンドルされたＡＣＫ情報を送信することと
を備える、無線通信システムでデータを受信する方法。
【請求項２】
前記複数の符号語は、少なくとも１つのダウンリンクサブフレーム内で受信され、前記バンドルされたＡＣＫ情報は、アップリンクサブフレームより多数のダウンリンクサブフレームを有する非対称ダウンリンク−アップリンク構成を有する時分割複信（ＴＤＤ）システム内で、アップリンクサブフレーム内で送信される、請求項１に記載の方法。
【請求項３】
前記複数の符号語を複数のサブフレーム内で受信し、１つの符号語を各サブフレーム内で受信することをさらに備える、請求項１に記載の方法。
【請求項４】
前記複数の符号語は、ＭＩＭＯ（ｍｕｌｔｉｐｌｅ−ｉｎｐｕｔ  ｍｕｌｔｉｐｌｅ−ｏｕｔｐｕｔ）伝送を介して１つのサブフレーム内で受信される、請求項１に記載の方法。
【請求項５】
前記複数の符号語の複数のＡＣＫおよびＮＡＣＫを前記バンドルすることは、
前記複数の符号語のすべてについてＡＣＫが入手される場合にバンドルされたＡＣＫを生成することと、
前記複数の符号語のいずれかについてＮＡＣＫが入手される場合にバンドルされたＮＡＣＫを生成することと
を備える、請求項１に記載の方法。
【請求項６】
前記バンドルされたＡＣＫ情報は、前記複数の符号語のバンドルされたＡＣＫまたはバンドルされたＮＡＣＫを備え、前記方法は、
前記複数の符号語についてバンドルされたＮＡＣＫが送信される場合に、前記複数の符号語の再送を受信することと、
前記複数の符号語についてバンドルされたＡＣＫが送信される場合に、新しい符号語を受信することと
をさらに備える、請求項１に記載の方法。
【請求項７】
前記複数の符号語の前記複数のＡＣＫおよびＮＡＣＫを前記バンドルすることは、符号語の各セットの前記バンドルされたＡＣＫ／ＮＡＣＫを、符号語の前記セット内の前記符号語の複数のＡＣＫおよびＮＡＣＫに基づいて判定することを備える、請求項１に記載の方法。
【請求項８】
バンドルされたＮＡＣＫが送信される符号語の各セットの再送を受信することと、
バンドルされたＡＣＫが送信される符号語の各セットの符号語の新しいセットを受信することと
をさらに備える、請求項１に記載の方法。
【請求項９】
符号語の各セットは、１つのサブフレーム内で受信される、請求項１に記載の方法。
【請求項１０】
符号語の各セットは、複数のサブフレーム内で受信されるＭＩＭＯ（ｍｕｌｔｉｐｌｅ−ｉｎｐｕｔ  ｍｕｌｔｉｐｌｅ−ｏｕｔｐｕｔ）伝送の１レイヤ内で送信される符号語を備える、請求項１に記載の方法。
【請求項１１】
複数の肯定応答（ＡＣＫ）または否定応答（ＮＡＣＫ）をバンドルするためのバンドリング構成を示すシグナリングを受信し、少なくとも１つのサブフレーム内で複数の符号語を受信し、前記複数の符号語を復号し、前記符号語の復号結果に基づいて各符号語のＡＣＫまたはＮＡＣＫを判定し、前記バンドリング構成に従って、バンドルされたＡＣＫ情報を入手するために前記複数の符号語の複数のＡＣＫおよびＮＡＣＫをバンドルし、前記複数の符号語のフィードバックとして前記バンドルされたＡＣＫ情報を送信するように構成された少なくとも１つのプロセッサ
を備え、前記少なくとも１つのプロセッサは、前記複数の符号語のそれぞれのＡＣＫ、ＮＡＣＫ、またはダウンリンク割当てを受信しなかったことを示す不連続伝送（ＤＴＸ）を入手し、所定のマッピングに基づいて、前記複数の符号語の複数のＡＣＫ、ＮＡＣＫ、およびＤＴＸを前記バンドルされたＡＣＫ情報の複数のビットにマッピングするように構成され、
前記バンドルされたＡＣＫ情報は、前記複数の符号語を用いて形成された符号語の複数のセットの複数のバンドルされたＡＣＫ／ＮＡＣＫを備え、各バンドルされたＡＣＫ／ＮＡＣＫは、符号語の１つのセットのバンドルされたＡＣＫまたはバンドルされたＮＡＣＫを備える、無線通信の装置。
【請求項１２】
前記少なくとも１つのプロセッサは、前記複数の符号語のすべてについてＡＣＫが入手される場合にバンドルされたＡＣＫを生成し、前記複数の符号語のいずれかについてＮＡＣＫが入手される場合にバンドルされたＮＡＣＫを生成するように構成される、請求項１１に記載の装置。
【請求項１３】
前記少なくとも１つのプロセッサは、前記複数の符号語についてバンドルされたＮＡＣＫが送信される場合に前記複数の符号語の再送を受信し、前記複数の符号語についてバンドルされたＡＣＫが送信される場合に新しい符号語を受信するように構成される、請求項１１に記載の装置。
【請求項１４】
前記少なくとも１つのプロセッサは、符号語の各セットの前記バンドルされたＡＣＫ／ＮＡＣＫを、符号語の前記セット内の前記符号語の複数のＡＣＫおよびＮＡＣＫに基づいて判定するように構成される、請求項１１に記載の装置。
【請求項１５】
前記少なくとも１つのプロセッサは、バンドルされたＮＡＣＫが送信される符号語の各セットの再送を受信し、バンドルされたＡＣＫが送信される符号語の各セットの符号語の新しいセットを受信するように構成される、請求項１４に記載の装置。
【請求項１６】
複数の肯定応答（ＡＣＫ）または否定応答（ＮＡＣＫ）をバンドルするためのバンドリング構成を示すシグナリングを受信する手段と、
少なくとも１つのサブフレーム内で複数の符号語を受信するための手段と、
前記複数の符号語を復号するための手段と、
前記符号語の復号結果に基づいて各符号語のＡＣＫまたはＮＡＣＫを判定するための手段と、
前記バンドリング構成に従って、バンドルされたＡＣＫ情報を入手するために、前記複数の符号語の複数のＡＣＫおよびＮＡＣＫをバンドルするための手段と、ここにおいて、前記バンドルされたＡＣＫ情報は、前記複数の符号語を用いて形成された符号語の複数のセットの複数のバンドルされたＡＣＫ／ＮＡＣＫを備え、各バンドルされたＡＣＫ／ＮＡＣＫは、符号語の１つのセットのバンドルされたＡＣＫまたはバンドルされたＮＡＣＫを備え、前記複数の符号語の複数のＡＣＫおよびＮＡＣＫをバンドルするための前記手段は、前記複数の符号語のそれぞれのＡＣＫ、ＮＡＣＫ、またはダウンリンク割当てを受信しなかったことを示す不連続伝送（ＤＴＸ）を入手するための手段と、所定のマッピングに基づいて、前記複数の符号語の複数のＡＣＫ、ＮＡＣＫ、およびＤＴＸを前記バンドルされたＡＣＫ情報の複数のビットにマッピングするための手段とを備える、
前記複数の符号語のフィードバックとして、前記バンドルされたＡＣＫ情報を送信するための手段と
を備える、無線通信の装置。
【請求項１７】
前記複数の符号語のＡＣＫおよびＮＡＣＫをバンドルするための前記手段は、
前記複数の符号語のすべてについてＡＣＫが入手される場合にバンドルされたＡＣＫを生成するための手段と、
前記複数の符号語のいずれかについてＮＡＣＫが入手される場合にバンドルされたＮＡＣＫを生成するための手段と
を備える、請求項１６に記載の装置。
【請求項１８】
前記バンドルされたＡＣＫ情報は、前記複数の符号語のバンドルされたＡＣＫまたはバンドルされたＮＡＣＫを備え、前記装置は、
前記複数の符号語についてバンドルされたＮＡＣＫが送信される場合に、前記複数の符号語の再送を受信するための手段と、
前記複数の符号語についてバンドルされたＡＣＫが送信される場合に、新しい符号語を受信するための手段と
をさらに備える、請求項１６に記載の装置。
【請求項１９】
前記複数の符号語の前記ＡＣＫおよびＮＡＣＫをバンドルするための前記手段は、
符号語の各セットの前記バンドルされたＡＣＫ／ＮＡＣＫを、符号語の前記セット内の前記符号語の複数のＡＣＫおよびＮＡＣＫに基づいて判定するための手段
を備える、請求項１６に記載の装置。
【請求項２０】
バンドルされたＮＡＣＫが送信される符号語の各セットの再送を受信するための手段と、
バンドルされたＡＣＫが送信される符号語の各セットの符号語の新しいセットを受信するための手段と
をさらに備える、請求項１９に記載の装置。
【請求項２１】
少なくとも１つのコンピュータに複数の肯定応答（ＡＣＫ）または否定応答（ＮＡＣＫ）をバンドルするためのバンドリング構成を示すシグナリングを受信させるコードと、
前記少なくとも１つのコンピュータに少なくとも１つのサブフレーム内で複数の符号語を受信させるコードと、
前記少なくとも１つのコンピュータに前記複数の符号語を復号させるコードと、
前記少なくとも１つのコンピュータに前記符号語の復号結果に基づいて各符号語のＡＣＫまたはＮＡＣＫを判定させるコードと、
前記少なくとも１つのコンピュータに、前記バンドリング構成に従って、バンドルされたＡＣＫ情報を入手するために、前記複数の符号語の複数のＡＣＫおよびＮＡＣＫをバンドルさせるコードと、ここにおいて、前記バンドルされたＡＣＫ情報は、前記複数の符号語を用いて形成された符号語の複数のセットの複数のバンドルされたＡＣＫ／ＮＡＣＫを備え、各バンドルされたＡＣＫ／ＮＡＣＫは、符号語の１つのセットのバンドルされたＡＣＫまたはバンドルされたＮＡＣＫを備え、前記複数の符号語の複数のＡＣＫおよびＮＡＣＫを前記バンドルすることは、前記複数の符号語のそれぞれのＡＣＫ、ＮＡＣＫ、またはダウンリンク割当てを受信しなかったことを示す不連続伝送（ＤＴＸ）を入手することと、所定のマッピングに基づいて、前記複数の符号語の複数のＡＣＫ、ＮＡＣＫ、およびＤＴＸを前記バンドルされたＡＣＫ情報の複数のビットにマッピングすることとを備える、
前記少なくとも１つのコンピュータに、前記複数の符号語のフィードバックとして、前記バンドルされたＡＣＫ情報を送信させるコードと
を備えるコンピュータ可読記憶媒体。
【請求項２２】
複数の肯定応答（ＡＣＫ）または否定応答（ＮＡＣＫ）をバンドルするためのバンドリング構成を示すシグナリングを送信することと、
少なくとも１つのサブフレーム内で複数の符号語を受信機に送信することと、
前記複数の符号語の複数のＡＣＫおよびＮＡＣＫに基づいて前記バンドリング構成に従って、前記受信機によって生成されるバンドルされたＡＣＫ情報を受信することと、ここにおいて、前記バンドルされたＡＣＫ情報は、前記複数の符号語を用いて形成された符号語の複数のセットの複数のバンドルされたＡＣＫ／ＮＡＣＫを備え、各バンドルされたＡＣＫ／ＮＡＣＫは、符号語の１つのセットのバンドルされたＡＣＫまたはバンドルされたＮＡＣＫを備える、
前記バンドルされたＡＣＫ情報に基づいて、前記複数の符号語を再送すべきなのか新しい符号語を送信すべきなのかを判定することと、ここにおいて、前記バンドルされたＡＣＫ情報は、前記複数の符号語のそれぞれについて入手されたＡＣＫ、ＮＡＣＫ、またはダウンリンク割当てを受信しなかったことを示す不連続伝送（ＤＴＸ）を含んでおり、前記複数の符号語について前記入手されたＡＣＫ、ＮＡＣＫ、およびＤＴＸは、所定のマッピングに基づいて、前記バンドルされたＡＣＫ情報の複数のビットにマッピングされる、
を備える、無線通信システムでデータを送信する方法。
【請求項２３】
前記複数の符号語は、少なくとも１つのダウンリンクサブフレーム内で送信され、前記バンドルされたＡＣＫ情報は、アップリンクサブフレームより多数のダウンリンクサブフレームを有する非対称ダウンリンク−アップリンク構成を有する時分割複信（ＴＤＤ）システム内で、アップリンクサブフレーム内で受信される、請求項２２に記載の方法。
【請求項２４】
前記複数の符号語を複数のサブフレーム内で送信し、１つの符号語を各サブフレーム内で送信することをさらに備える、請求項２２に記載の方法。
【請求項２５】
前記複数の符号語は、ＭＩＭＯ（ｍｕｌｔｉｐｌｅ−ｉｎｐｕｔ  ｍｕｌｔｉｐｌｅ−ｏｕｔｐｕｔ）伝送を介して１つのサブフレーム内で送信される、請求項２２に記載の方法。
【請求項２６】
前記バンドルされたＡＣＫ情報は、前記複数の符号語のすべてについてＡＣＫが前記受信機によって入手される場合にバンドルされたＡＣＫを、または前記複数の符号語のいずれかについてＮＡＣＫが前記受信機によって入手される場合にバンドルされたＮＡＣＫを備える、請求項２２に記載の方法。
【請求項２７】
前記複数の符号語についてバンドルされたＮＡＣＫが受信される場合に、前記複数の符号語を再送することと、
前記複数の符号語についてバンドルされたＡＣＫが受信される場合に、新しい符号語を送信することと
をさらに備える、請求項２２に記載の方法。
【請求項２８】
前記複数の符号語を前記再送することは、
前記符号語のシステマティックビットおよびパリティビットを備える各符号語の再送を送信すること
を備える、請求項２７に記載の方法。
【請求項２９】
バンドルされたＮＡＣＫが受信される符号語の各セットを再送することと、
バンドルされたＡＣＫが受信される符号語の各セットについて符号語の新しいセットを送信することと
をさらに備える、請求項２２に記載の方法。
【請求項３０】
複数の肯定応答（ＡＣＫ）または否定応答（ＮＡＣＫ）をバンドルするためのバンドリング構成を示すシグナリングを送信し、少なくとも１つのサブフレーム内で複数の符号語を受信機に送信し、前記複数の符号語の複数のＡＣＫおよびＮＡＣＫに基づいて前記バンドリング構成に従って、前記受信機によって生成されるバンドルされたＡＣＫ情報を受信し、前記バンドルされたＡＣＫ情報に基づいて、前記複数の符号語を再送すべきなのか新しい符号語を送信すべきなのかを判定するように構成された少なくとも１つのプロセッサ
を備え、
前記バンドルされたＡＣＫ情報は、前記複数の符号語を用いて形成された符号語の複数のセットの複数のバンドルされたＡＣＫ／ＮＡＣＫを備え、各バンドルされたＡＣＫ／ＮＡＣＫは、符号語の１つのセットのバンドルされたＡＣＫまたはバンドルされたＮＡＣＫを備え、前記バンドルされたＡＣＫ情報は、前記複数の符号語のそれぞれについて入手されたＡＣＫ、ＮＡＣＫ、またはダウンリンク割当てを受信しなかったことを示す不連続伝送（ＤＴＸ）を含んでおり、前記複数の符号語について前記入手されたＡＣＫ、ＮＡＣＫ、およびＤＴＸは、所定のマッピングに基づいて、前記バンドルされたＡＣＫ情報の複数のビットにマッピングされる、無線通信の装置。
【請求項３１】
前記バンドルされたＡＣＫ情報は、前記複数の符号語のバンドルされたＡＣＫまたはバンドルされたＮＡＣＫを備え、前記少なくとも１つのプロセッサは、バンドルされたＮＡＣＫが受信される場合に前記複数の符号語を再送し、バンドルされたＡＣＫが受信される場合に新しい符号語を送信するように構成される、請求項３０に記載の装置。
【請求項３２】
前記少なくとも１つのプロセッサは、バンドルされたＮＡＣＫが受信される符号語の各セットを再送し、バンドルされたＡＣＫが受信される符号語の各セットについて符号語の新しいセットを送信するように構成される、請求項３０に記載の装置。
【発明の詳細な説明】
【技術分野】
【０００１】
本特許出願は、本願の譲受人に譲渡された、参照によって本明細書に組み込まれている、２００８年５月７日に出願した米国特許仮出願第６１／０５１，２９６号、名称「ＡＣＫ／ＮＡＫ  ＲＥＰＯＲＴＩＮＧ  ＩＮ  ＡＳＹＭＭＥＴＲＩＣ  ＴＤＤ  ＩＮ  ＬＴＥ」に対する優先権を主張するものである。
【０００２】
本開示は、全般的には通信に関し、より具体的には、無線通信システムで肯定応答（ＡＣＫ）情報を送信する技法に関する。
【背景技術】
【０００３】
無線通信システムは、音声、ビデオ、パケットデータ、メッセージング、放送その他など、さまざまな通信コンテンツを提供するために広く展開されている。これらの無線システムは、使用可能なシステムリソースを共用することによって複数のユーザをサポートできる多元接続システムとすることができる。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、およびＳＣ−ＦＤＭＡ（Ｓｉｎｇｌｅ−Ｃａｒｒｉｅｒ  ＦＤＭＡ）システムを含む。
【０００４】
無線通信システムでは、基地局は、ダウンリンクおよびアップリンクでユーザ機器（ＵＥ:User Equipment）と通信することができる。ダウンリンク（または、順方向リンク）は、基地局からＵＥへの通信リンクを指し、アップリンク（または、逆方向リンク）は、ＵＥから基地局への通信リンクを指す。基地局は、データをＵＥに送信することができる。ＵＥは、基地局からデータを受信し、処理することができ、ＡＣＫ情報を基地局に送信することができる。基地局は、ＡＣＫ情報に基づいて、ＵＥにデータを再送すべきか、あるいは新しいデータを送信すべきかを判定することができる。ＡＣＫ情報を効率的に送信することが望ましい。
【発明の概要】
【０００５】
無線通信システムでＡＣＫ情報をバンドルする技法を本明細書で説明する。この技法は、報告すべきＡＣＫ情報の量を減らすのに使用することができ、特に、非対称ダウンリンク−アップリンク構成を有する時分割複信（ＴＤＤ）システムで適用可能とすることができる。
【０００６】
ダウンリンクでのデータ伝送の一設計では、ＵＥは、少なくとも１つのダウンリンクサブフレーム内で複数の符号語（codewords）を受信することができる。各符号語を、基地局によって別々に符号化することができ、ＵＥによって別々に復号することができる。ＵＥは、複数の符号語を復号することができ、符号語の復号結果に基づいて、各符号語の肯定応答（ＡＣＫ）または否定応答（ＮＡＣＫ）を判定することができる。ＵＥは、バンドルされたＡＣＫ情報を入手するために、複数の符号語のＡＣＫおよびＮＡＣＫをバンドルすることができる。ＵＥは、複数の符号語のフィードバックとして、バンドルされたＡＣＫ情報を送信することができる。
【０００７】
一設計では、バンドルされたＡＣＫ情報は、複数の符号語に関する単一のバンドルされたＡＣＫ／ＮＡＣＫを備えることができる。ＵＥは、複数の符号語に関するＡＣＫおよびＮＡＣＫに対する論理ＡＮＤ演算を用いるバンドリングを実行することができる。ＵＥは、（ｉ）すべての符号語についてＡＣＫが入手される場合にはバンドルされたＡＣＫを、または（ｉｉ）いずれかの符号語についてＮＡＣＫが入手される場合にはバンドルされたＮＡＣＫを生成することができる。ＵＥは、バンドルされたＮＡＣＫが基地局に送信される場合には複数の符号語の再送を受信することができ、バンドルされたＡＣＫが送信される場合には新しい符号語を受信することができる。
【０００８】
別の設計では、バンドルされたＡＣＫ情報は、複数の符号語を用いて形成された符号語の複数のセットに関する複数のバンドルされたＡＣＫ／ＮＡＣＫを備えることができる。各バンドルされたＡＣＫ／ＮＡＣＫは、符号語の１つのセットのバンドルされたＡＣＫまたはバンドルされたＮＡＣＫを備えることができる。ＵＥは、符号語の各セットのバンドルされたＡＣＫ／ＮＡＣＫを、そのセット内の符号語のＡＣＫおよびＮＡＣＫに基づいて判定することができる。ＵＥは、バンドルされたＮＡＣＫが送信される符号語の各セットの再送を受信することができる。ＵＥは、バンドルされたＡＣＫが送信される符号語の各セットの符号語の新しいセットを受信することができる。
【０００９】
本開示のさまざまな態様および特徴を、下でさらに詳細に説明する。
【図面の簡単な説明】
【００１０】
【図１】無線通信システムを示す図。
【図２】ＴＤＤシステムの例示的なフレーム構造を示す図。
【図３】ＨＡＲＱを用いるダウンリンク上の例示的なデータ伝送を示す図。
【図４】データを受信するプロセスを示す図。
【図５】データを受信する装置を示す図。
【図６】データを送信するプロセスを示す図。
【図７】データを送信する装置を示す図。
【図８】基地局およびＵＥを示すブロック図。
【発明を実施するための形態】
【００１１】
本明細書で説明する技法を、符号分割多元接続、時分割多元接続、周波数分割多元接続、直交周波数分割多元接続、ＳＣ−ＦＤＭＡ、および他のシステムなどのさまざまな無線通信システムに使用することができる。用語「システム」および「ネットワーク」は、しばしば交換可能に使用される。符号分割多元接続システムは、ＵＴＲＡ（Ｕｎｉｖｅｒｓａｌ  Ｔｅｒｒｅｓｔｒｉａｌ  Ｒａｄｉｏ  Ａｃｃｅｓｓ）、ｃｄｍａ２０００、その他などの無線テクノロジを実施することができる。ＵＴＲＡは、ＷＣＤＭＡ（Ｗｉｄｅｂａｎｄ  ＣＤＭＡ）および符号分割多元接続の他の変形を含む。ｃｄｍａ２０００は、ＩＳ−２０００標準規格、ＩＳ−９５標準規格、およびＩＳ−８５６標準規格を包含する。時分割多元接続システムは、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）などの無線テクノロジを実施することができる。直交周波数分割多元接続システムは、Ｅ−ＵＴＲＡ（Ｅｖｏｌｖｅｄ  ＵＴＲＡ）、ＵＭＢ（Ｕｌｔｒａ  Ｍｏｂｉｌｅ  Ｂｒｏａｄｂａｎｄ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）その他などの無線テクノロジを実施することができる。ＵＴＲＡおよびＥ−ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）の一部である。３ＧＰＰ  ＬＴＥ（Ｌｏｎｇ  Ｔｅｒｍ  Ｅｖｏｌｕｔｉｏｎ）およびＬＴＥ−Ａ（ＬＴＥ−Ａｄｖａｎｃｅｄ）は、Ｅ−ＵＴＲＡを使用するＵＭＴＳの新しいリリースであり、Ｅ−ＵＴＲＡは、ダウンリンクで直交周波数分割多元接続、アップリンクでＳＣ−ＦＤＭＡを使用する。ＵＴＲＡ、Ｅ−ＵＴＲＡ、ＵＭＴＳ、ＬＴＥ、ＬＴＥ−Ａ、およびＧＳＭ（登録商標）は、「３ｒｄ  Ｇｅｎｅｒａｔｉｏｎ  Ｐａｒｔｎｅｒｓｈｉｐ  Ｐｒｏｊｅｃｔ」（３ＧＰＰ）という名前の組織からの文書に記載されている。ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名前の組織からの文書に記載されている。本明細書で説明される技法を、上で述べたシステムおよび無線テクノロジならびに他のシステムおよび無線テクノロジに関して使用することができる。明瞭にするために、本技法のある種の態様を、下ではＬＴＥについて説明し、ＬＴＥ用語法を、下の説明の多くで使用する。
【００１２】
本明細書で説明される技法を、ダウンリンクならびにアップリンクでのデータ伝送に使用することもできる。明瞭にするために、本技法のある種の態様を、ＡＣＫ情報がアップリンクで送信される、ダウンリンクでのデータ伝送について下で説明する。
【００１３】
図１に、ＬＴＥシステムまたはある他のシステムとすることができる無線通信システム１００を示す。システム１００は、複数のｅＮＢ（ｅｖｏｌｖｅｄ  Ｎｏｄｅ  Ｂ）１１０および他のネットワークエンティティを含むことができる。ｅＮＢは、ＵＥと通信する局とすることができ、Ｎｏｄｅ  Ｂ、基地局、アクセスポイントなどと称する場合もある。ＵＥ  １２０を、システム全体に散在させることができ、各ＵＥを、静止または可動とすることができる。ＵＥを、移動局、端末、アクセス端末、加入者ユニット、局などと称する場合もある。ＵＥを、セル電話、携帯情報端末（ＰＤＡ）、無線モデム、無線通信デバイス、ハンドヘルドデバイス、ラップトップコンピュータ、コードレス電話、ＷＬＬ（ｗｉｒｅｌｅｓｓ  ｌｏｃａｌ  ｌｏｏｐ）局などとすることができる。
【００１４】
このシステムは、時分割複信（ＴＤＤ）を利用することができる。ＴＤＤについて、ダウンリンクおよびアップリンクは、一部の時間にはダウンリンクに、他の時間にはアップリンクに使用できる同一の周波数チャネルを共用する。
【００１５】
図２に、ＴＤＤシステムに使用できる例示的なフレーム構造２００を示す。伝送タイムラインを、無線フレームのユニットに区分することができる。各無線フレームは、所定の持続時間、たとえば１０ミリ秒（ｍｓ）を有することができ、２つの半フレームに区分することができる。各無線フレームを、インデックス０から９までを有する１０個のサブフレームに区分することもできる。データ伝送に使用可能な各サブフレームを、２つのスロットに区分することができる。各スロットは、Ｑ個の記号周期を含むことができ、たとえば、拡張サイクリックプリフィックス（extended cyclic prefix）についてＱ＝６記号周期または通常サイクリックプリフィックス（normal cyclic prefix）についてＱ＝７記号周期を含むことができる。１つの直交周波数分割多元接続記号または１つのＳＣ−ＦＤＭＡ記号を、各記号周期に送信することができる。
【００１６】
表１に、ＴＤＤについてＬＴＥによってサポートされる７つのダウンリンク−アップリンク構成をリストする。サブフレーム０および５を、すべてのダウンリンク−アップリンク構成のダウンリンクに使用することができ、図２では「ＤＬ」、表１では「Ｄ」と表す。サブフレーム２を、すべてのダウンリンク−アップリンク構成のアップリンクに使用することができ、図２では「ＵＬ」、表１では「Ｕ」と表す。サブフレーム３、４、７、８、および９のそれぞれを、ダウンリンク−アップリンク構成に応じてダウンリンクまたはアップリンクに使用することができる。サブフレーム１は、ダウンリンクパイロットタイムスロット（ＤｗＰＴＳ）、ガード周期（ＧＰ）、およびアップリンクパイロットタイムスロット（ＵｐＰＴＳ）からなる３つの特殊フィールドを有する特殊サブフレーム（表１では「Ｓ」と表す）とすることができる。サブフレーム６は、ダウリンク−アップリンク構成に応じて、（ｉ）ＤｗＰＴＳのみもしくは３つすべての特殊フィールドを有する特殊サブフレーム、または（ｉｉ）ダウンリンクサブフレームとすることができる。ＤｗＰＴＳフィールド、ＧＰフィールド、およびＤｗＰＴＳフィールドは、異なる特殊サブフレーム構成について異なる持続時間を有することができる。
【００１７】
ダウンリンクに使用されるサブフレームを、ダウンリンクサブフレームと呼ぶことができる。アップリンクに使用されるサブフレームを、アップリンクサブフレームと呼ぶことができる。表１は、各ダウンリンク−アップリンク構成の各無線フレーム内のダウンリンクサブフレームの個数（＃Ｄ）、アップリンクサブフレームの個数（＃Ｕ）、および特殊サブフレームの個数（＃Ｓ）を与える。図２に示されているように、２Ｑ個の直交周波数分割多重記号を、各ダウンリンクサブフレームで送信することができ、２Ｑ個のＳＣ−ＦＤＭＡ記号を、各アップリンクサブフレームで送信することができる。
【表１】
0005502855.tif 000002
【００１８】
複数のＮ：Ｍ構成を、ダウンリンクおよびアップリンクについてサポートすることができる。所与のＮ：Ｍ構成について、ダウンリンク−アップリンクサイクルは、Ｎ個のダウンリンクサブフレームおよびＭ個のアップリンクサブフレームを含むことができ、一般に、Ｎ≧１、Ｍ≧１であり、Ｎは、Ｍと等しくても等しくなくてもよい。ＮがＭと等しくないときに、ダウンリンクおよびアップリンクの非対称が存在する。ダウンリンク−アップリンクサイクルは、ダウンリンク−アップリンク構成０から２までについて５ｍｓにまたがることができ、ダウンリンク−アップリンク構成３から６までについて１０ｍｓにまたがることができる。表１の最後の列は、各ダウンリンク−アップリンク構成のＮ：Ｍ構成を与える。次のＮ：Ｍ構成をサポートすることができる。
【００１９】
・対称  １：１−等しい個数のダウリンクサブフレームおよびアップリンクサブフレーム、
・ダウンリンク偏重  ２：１、３：１、７：２、および８：１−アップリンクサブフレームより多数のダウンリンクサブフレーム、および
・アップリンク偏重  １：３および３：５−ダウンリンクサブフレームより多数のアップリンクサブフレーム。
【００２０】
主としてＤｗＰＴＳならびに最小限のＧＰおよびＵｐＰＴＳを含むように特殊サブフレーム１を構成することによって、ダウンリンク−アップリンク構成５について９：１構成を入手することができる。
【００２１】
このシステムは、ハイブリッド自動再送要求（ＨＡＲＱ）をサポートすることができる。ダウンリンクでのＨＡＲＱについて、ｅＮＢは、符号語（または符号化されたパケット）を入手するために、トランスポートブロック（またはパケット）を処理することができる。次に、ｅＮＢは、符号語の伝送をＵＥに送信することができ、その符号語がＵＥによって正しく復号されるか、最大個数の伝送が送信されるか、ある他の終了条件に出会うまで、１つまたは複数の追加の伝送を送信することができる。符号語の最初の伝送を、新しい伝送と呼ぶことができ、符号語の各追加の伝送を、再送と呼ぶことができる。符号語の各伝送の後に、ＵＥは、符号語を回復することを試みるために符号語のすべての受信された伝送を復号することができる。
【００２２】
図３に、ＨＡＲＱを用いるダウンリンク上の例示的なデータ伝送を示す。各ダウンリンク−アップリンクサイクルは、Ｎ個のダウンリンクサブフレームを包含するダウンリンク伝送周期およびＭ個のアップリンクサブフレームを包含するアップリンク伝送周期を含むことができる。一設計では、ｅＮＢは、あるダウンリンク伝送周期のＮ個までのダウンリンクサブフレーム内でデータを送信することができ、ＵＥは、次のアップリンク伝送周期の１つのアップリンクサブフレーム内でそのデータのＡＣＫ情報を送信することができる。
【００２３】
ＵＥは、ｅＮＢに関するダウンリンクチャネル品質を周期的に推定することができ、チャネル品質インジケータ（channel quality indicator、ＣＱＩ）情報を物理アップリンク制御チャネル（physical uplink control channel、ＰＵＣＣＨ）上でｅＮＢに送信することができる。ｅＮＢは、ダウンリンクデータ伝送に関してＵＥをスケジューリングし、ＵＥの変調および符号化方式（modulation and coding scheme、ＭＣＳ）を選択するのに、ＣＱＩ情報および／または他の情報を使用することができる。ＵＥがスケジューリングされるダウンリンクサブフレームごとに、ｅＮＢは、Ｌ個の符号語を入手するためにＬ個のトランスポートブロック（またはパケット）を処理することができ、ここで、Ｌ≧１であり、ｅＮＢは、Ｌ個の符号語を物理ダウンリンク共用チャネル（physical downlink shared channel、ＰＤＳＣＨ）上でＵＥに送信することができる。ｅＮＢは、物理ダウンリンク制御チャネル（physical downlink control channel、ＰＤＣＣＨ）上で、ＵＥがスケジューリングされる各サブフレーム内（図３に示されているように）または第１サブフレーム内のみで、ＵＥに関するダウンリンク割当てを送信することもできる。ｅＮＢは、ＵＥがスケジューリングされない各ダウンリンクサブフレーム内で、ＵＥにダウンリンク割当ておよび符号語を送信しないものとすることができる。
【００２４】
ＵＥは、ＵＥに送信されたダウンリンク割当てがある場合に、これを入手するために各ダウンリンクサブフレーム内のＰＤＣＣＨを処理することができる。ダウンリンク割当てが受信される場合に、ＵＥは、ＰＤＳＣＨを処理し、ＵＥに送信されたＬ個の符号語を復号することができる。符号語ごとに、ＵＥは、符号語が正しく復号される場合にはＡＣＫを、符号語が誤って復号される場合にはＮＡＣＫを供給することができる。ＵＥは、下で説明するように、すべての符号語のＡＣＫおよびＮＡＣＫに基づいてＡＣＫ情報を生成することができ、ＰＵＣＣＨ上でｅＮＢにＡＣＫ情報を送信することができる。ｅＮＢは、ＮＡＣＫが受信される各符号語の再送を送信することができ、ＡＣＫが受信される各符号語の新しい符号語の伝送を送信することができる。
【００２５】
複数のＨＡＲＱプロセスを、ダウンリンクおよびアップリンクのそれぞれについて定義することができる。ＨＡＲＱプロセスは、符号語が正しく復号されるまでその符号語のすべての伝送を伝えることができ、その後、別の符号語の伝送を伝えることができる。あるＨＡＲＱプロセスが使用可能になるときに、新しい符号語をそのＨＡＲＱプロセスで送信することができる。各リンクのＨＡＲＱプロセスの個数は、（ｉ）各ダウンリンク−アップリンクサイクル内のダウンリンクサブフレームの個数およびアップリンクサブフレームの個数、ならびに（ｉｉ）各符号語について受信機で必要な処理時間に依存するものとすることができる。たとえば、必要な処理時間が３ｍｓである場合に、データ伝送をサブフレームｎで送信することができ、対応するＡＣＫ／ＮＡＣＫをサブフレームｎ＋ｋで送信することができ、ｋ＞３である。表２に、ＬＴＥによってサポートされるダウンリンク−アップリンク構成ごとのダウンリンクのＨＡＲＱプロセスの個数およびアップリンクのＨＡＲＱプロセスの個数をリストする。
【表２】
0005502855.tif 000003
【００２６】
フィードバックとして送信すべきＡＣＫおよびＮＡＣＫの個数は、肯定応答すべきＨＡＲＱプロセスの個数、各ＨＡＲＱプロセスで送信される符号語の個数、ダウンリンク割当てを肯定応答すべきかどうか、その他などのさまざまな要因に依存するものとすることができる。一設計では、ｅＮＢは、各ダウンリンクサブフレーム内に１つのＨＡＲＱプロセスの、Ｎ個までのＨＡＲＱプロセスでデータをＵＥに送信することができる。一設計では、ｅＮＢは（ｉ）ＳＩＭＯ（ｓｉｎｇｌｅ−ｉｎｐｕｔ  ｍｕｌｔｉｐｌｅ−ｏｕｔｐｕｔ）伝送を用いる各ＨＡＲＱプロセスで１つの符号語を、または（ｉｉ）ＭＩＭＯ（ｍｕｌｔｉｐｌｅ−ｉｎｐｕｔ  ｍｕｌｔｉｐｌｅ−ｏｕｔｐｕｔ）伝送を用いる各ＨＡＲＱプロセスで複数の符号語を送信することができる。ＭＩＭＯ伝送を介して送信される符号語を、複数のレイヤにマッピングすることができ、レイヤの個数は、符号語の個数以上とすることができる。したがって、ｅＮＢは、各ＨＡＲＱプロセスで１つまたは複数の符号語を送信することができる。たとえば、２つの符号語という最大値を、ＭＩＭＯ伝送ごとに送信することができ、ＵＥは、Ｎ個のダウンリンクサブフレームで０個から２Ｎ個までの符号語を受信することができる。ＵＥは、すべての符号語についてＡＣＫ情報を生成することができ、次のアップリンク伝送周期のアップリンクサブフレーム内でＡＣＫ情報を送信することができる。
【００２７】
一態様では、ＵＥは、複数（Ｋ個）の符号語についてＡＣＫおよびＮＡＣＫをバンドルするか組み合わせることができ、Ｋ個すべての符号語に関するバンドルされたＡＣＫ情報を生成することができる。一設計では、ＵＥは、Ｋ個すべての符号語のＡＣＫおよびＮＡＣＫに対する論理ＡＮＤ演算を用いてバンドリングを実行することができる。ＵＥは、（ｉ）Ｋ個すべての符号語についてＡＣＫが入手される場合にはバンドルされたＡＣＫを、または（ｉｉ）Ｋ個の符号語のいずれかについてＮＡＣＫが入手される場合にはバンドルされたＮＡＣＫを生成することができる。Ｋ個の符号語のバンドルされたＡＣＫ情報は、バンドルされたＡＣＫまたはバンドルされたＮＡＣＫを備えることができる。ＵＥは、他の形でバンドリングを実行することもできる。ＡＣＫおよびＮＡＣＫのバンドリングは、バンドルされたＡＣＫ情報の量をＫ倍だけ減らすことができる。
【００２８】
ｅＮＢは、ＵＥからＫ個の符号語のバンドルされたＡＣＫ情報を受信することができる。バンドルされたＡＣＫが受信される場合には、ｅＮＢは、符号語の次のセットをＵＥに送信することができる。そうではなく、バンドルされたＮＡＣＫが受信される場合には、ｅＮＢは、どの符号語がＵＥによって誤って受信されたのかを知らないので、Ｋ個すべての符号語を再送することができる。
【００２９】
一設計では、Ｋ個の符号語を、同時に開始できるＫ個までのＨＡＲＱプロセスで、たとえば、同一のダウンリンク伝送周期の異なるダウンリンクサブフレーム内で、送信することができる。次に、Ｋ個の符号語が類似する目標結末を有するように、Ｋ個の符号語をｅＮＢによって処理する（たとえば、符号化し、インタリーブし、変調する）ことができる。目標結末は、符号語の正しい復号の目標確率を達成するのに必要な符号語の伝送の個数を指す。ｅＮＢは、バンドルされたＡＣＫが受信されるときには必ず、符号語の新しいセットを送信することができる。
【００３０】
バンドリングを、さまざまな形で実行することができる。一設計では、バンドリングを、１つのダウンリンクサブフレーム内で受信されたすべての符号語、たとえば１つのダウンリンクサブフレーム内でＭＩＭＯ伝送を介して受信された２つの符号語のＡＣＫおよびＮＡＣＫについて実行することができる。別の設計では、バンドリングを、複数のダウンリンクサブフレームで受信された符号語、たとえば、各ダウンリンクサブフレーム内の１つの符号語のＡＣＫおよびＮＡＣＫについて実行することができる。もう１つの設計では、バンドリングを、あるダウンリンク伝送周期のすべてのダウンリンクサブフレームで受信された符号語のＡＣＫおよびＮＡＣＫについて実行することができる。もう１つの設計では、バンドリングを、複数のダウンリンク伝送サブフレームにまたがって同一レイヤ内で送信された符号語のＡＣＫおよびＮＡＣＫについて実行することができる。一例として、Ｎ個のダウンリンクサブフレームのそれぞれの２つの符号語のＭＩＭＯ伝送について、１つのバンドルされたＡＣＫ／ＮＡＣＫを、Ｎ個のダウンリンクサブフレーム内の第１レイヤで送信された符号語について生成することができ、もう１つのバンドルされたＡＣＫ／ＮＡＣＫを、Ｎ個のダウンリンクサブフレーム内の第２レイヤで送信された符号語について生成することができる。一般に、バンドリングを、ＭＩＭＯを伴うまたは伴わない任意の個数のダウンリンクサブフレームで受信された任意の個数の符号語について実行することができる。
【００３１】
ＵＥは、Ｎ個のダウンリンクサブフレーム内でＫｔｏｔａｌ個の符号語を受信することができ、１つのアップリンクサブフレーム内でこれらのＫｔｏｔａｌ個の符号語のバンドルされたＡＣＫ情報を送信することができる。一設計では、ＵＥは、Ｋｔｏｔａｌ個すべての符号語について単一のバンドルされたＡＣＫ／ＮＡＣＫを生成することができ、バンドルされたＡＣＫ情報は、この単一のバンドルされたＡＣＫ／ＮＡＣＫを備えることができる。もう１つの設計では、ＵＥは、Ｋｔｏｔａｌ個の符号語を用いて形成された符号語の複数のセットについて、符号語のセットごとに１つのバンドルされたＡＣＫ／ＮＡＣＫの、複数のバンドルされたＡＣＫ／ＮＡＣＫを生成することができる。次に、バンドルされたＡＣＫ情報は、複数のバンドルされたＡＣＫ／ＮＡＣＫを備えることができる。たとえば、９つの符号語を、表１のダウンリンク−アップリンク構成５を有する９つのダウンリンクサブフレーム内で９つのＨＡＲＱプロセスで送信することができる。ＵＥは、３つのバンドルされたＡＣＫ／ＮＡＣＫ、たとえば、最初の３つの符号語の第１のバンドルされたＡＣＫ／ＮＡＣＫ、次の３つの符号語の第２のバンドルされたＡＣＫ／ＮＡＣＫ、および最後の３つの符号語の第３のバンドルされたＡＣＫ／ＮＡＣＫを生成することができる。もう１つの例として、４つの符号語を、表１のダウンリンク−アップリンク構成４または５を有する４つのダウンリンクサブフレーム内で４つのＨＡＲＱプロセスで送信することができる。ＵＥは、２つのバンドルされたＡＣＫ／ＮＡＣＫ、たとえば、最初の２つの符号語の第１のバンドルされたＡＣＫ／ＮＡＣＫおよび最後の２つの符号語の第２のバンドルされたＡＣＫ／ＮＡＣＫを生成することができる。
【００３２】
一般に、バンドルされたＡＣＫ情報は、任意の個数のバンドルされたＡＣＫ／ＮＡＣＫを備えることができ、各バンドルされたＡＣＫ／ＮＡＣＫは、任意の個数の符号語に関するものとすることができる。複数のバンドルされたＡＣＫ／ＮＡＣＫが送信される場合には、各バンドルされたＡＣＫ／ＮＡＣＫが、同一個数の符号語を包含することができ、あるいは、異なるバンドルされたＡＣＫ／ＮＡＣＫが、異なる個数の符号語を包含することができる。
【００３３】
一設計では、ＡＣＫおよびＮＡＣＫのバンドリングを、静的または半静的とすることができ、たとえば呼セットアップ時に上位レイヤによって構成することができる。もう１つの設計では、ＡＣＫおよびＮＡＣＫのバンドリングを、動的とし、たとえば、物理レイヤまたはある他のレイヤによってＰＤＣＣＨ上で送信される信号を介して構成することができる。両方の設計について、バンドリングを、ダウンリンク−アップリンク構成、ダウンリンクでＵＥに送信すべきデータの量、ＭＩＭＯがデータ伝送に使用されるか否か、送信されるデータのサービス品質（ＱｏＳ）要件、アップリンクでＵＥによってＡＣＫ情報を送信するのに使用可能なリソースの量、ＵＥによる必要な処理時間、その他などのさまざまな要因に依存するものとすることができる。たとえば、徐々により多くなるバンドリングを、徐々により非対称になるダウンリンク−アップリンク構成に、または送信すべきデータの量とＡＣＫ情報のために使用可能なリソースの量との間の徐々により多くなるアンバランスに使用することができる。
【００３４】
一設計では、ＵＥは、Ｋｔｏｔａｌ個の符号語の１つまたは複数のバンドルされたＡＣＫ／ＮＡＣＫを備えるＡＣＫ情報を送信することができる。別の設計では、ＵＥは、Ｋｔｏｔａｌ個の符号語のバンドルされたＡＣＫ／ＮＡＣＫおよび個々のＡＣＫ／ＮＡＣＫの組合せを備えるＡＣＫ情報を送信することができる。各バンドルされたＡＣＫ／ＮＡＣＫは、Ｋｔｏｔａｌ個の符号語の中の複数の符号語を包含することができる。各個々のＡＣＫ／ＮＡＣＫは、Ｋｔｏｔａｌ個の符号語の中の単一の符号語を包含することができる。たとえば、個々のＡＣＫ／ＮＡＣＫを、あるタイプのデータ（たとえば、音声などの遅延に敏感なデータ）に使用することができ、バンドルされたＡＣＫ／ＮＡＣＫを、他のタイプのデータ（たとえば、遅延に耐性のあるデータ）に使用することができる。
【００３５】
ｅＮＢは、システマティックビット（systematic bit）およびパリティビットの符号語を入手するために前方誤り訂正（ＦＥＣ）符号（たとえば、ターボ符号）に従って情報ビットのトランスポートブロックを符号化することができる。システマティックビットは、トランスポートブロック内の情報ビットであり、パリティビットは、ＦＥＣ符号によって生成される冗長ビットである。ｅＮＢは、符号語を、冗長性バージョン（ＲＶ）０からＮＲＶ−１を割り当てることができる複数（ＮＲＶ個）の符号ブロックに区分することができる。ＲＶ  ０を有する最初の符号ブロックは、システマティックビットのみまたは大部分システマティックビットを含むことができる。ＲＶ＞０を有する各後続の符号ブロックは、大部分パリティビットまたはパリティビットのみを含むことができ、異なる符号ブロックは、異なるパリティビットを含む。ｅＮＢは、ＰＤＣＣＨ上でダウンリンク割当てを、ＰＤＳＣＨ上で１つの符号ブロックの伝送をＵＥに送信することができる。
【００３６】
ＵＥは、ダウンリンク割当てを入手するためにＰＤＣＣＨを処理することができる。ＵＥが、ダウンリンク割当てを受信する場合に、ＵＥは、ＵＥに送信された符号語を回復するために、ダウンリンク割当てに従ってＰＤＳＣＨを処理することができる。ＵＥがダウンリンク割当てを検出しない場合には、ＵＥは、ＰＤＳＣＨの処理をスキップすることができる。ｅＮＢは、ＰＤＣＣＨ上でＵＥにダウンリンク割当てを送信することができるが、ＵＥが、ダウンリンク割当てを取りそこなう（たとえば、ダウンリンク割当てを誤って復号する）場合があり、ＰＤＳＣＨを処理しない。このシナリオを、不連続伝送（discontinuous transmission、ＤＴＸ）と呼ぶ場合がある。
【００３７】
ＤＴＸとＮＡＣＫとの間で区別することが望ましい可能性がある。この場合に、符号語のフィードバックを、次のうちの１つとすることができる。
【００３８】
・ＤＴＸ→ＵＥがＰＤＣＣＨを取りそこない、ダウンリンク割当てを受信しなかった。
【００３９】
・ＡＣＫ→符号語が正しく復号された。
【００４０】
・ＮＡＣＫ→符号語が誤って復号された。
【００４１】
ｅＮＢは、ＤＴＸがＵＥから受信される場合には符号ブロックを再送することができ、ＮＡＣＫが受信される場合には次の符号ブロックを送信することができる。したがって、ｅＮＢは、ＤＴＸまたはＮＡＣＫのどちらが受信されるのかに依存して、異なる符号ブロックを送信することができる。ｅＮＢは、ＡＣＫが受信される場合には新しい符号語の符号ブロックを送信することができる。
【００４２】
ｅＮＢは、Ｎ個の符号語のＲＶ０を有するＮ個の符号ブロックをＰＤＳＣＨ上で異なるダウンリンクサブフレーム内で送信することができ、たとえば図３に示されているように、ＰＤＣＣＨ上で各ダウンリンクサブフレーム内でダウンリンク割当てを送信することができる。これらのＮ個の符号ブロックは、Ｎ個の符号語のシステマティックビットを含むことができる。各ダウンリンクサブフレーム内で、ＵＥは、ダウンリンク割当てについて検出するためにＰＤＣＣＨを処理することができ、ダウンリンク割当てが受信される場合にはＰＤＳＣＨを処理することができる。ＵＥは、ＵＥによって受信されるすべての符号語のバンドルされたＡＣＫ／ＮＡＣＫを生成し、送信することができる。ｅＮＢは、何個のダウンリンク割当てがＵＥによって受信されたのかを、バンドルされたＡＣＫ／ＮＡＣＫに基づいて知ることはできない。ｅＮＢがバンドルされたＮＡＣＫをＵＥから受信する場合には、ｅＮＢは、次のオプションを有することができる。
【００４３】
１．バンドルされたＮＡＣＫを、Ｎ個すべての符号語のＮＡＣＫを備えるものと解釈し、ＲＶ  １を有するＮ個の符号ブロックをＵＥに送信するか、
２．バンドルされたＮＡＣＫを、Ｎ個すべての符号語のＤＴＸを備えるものと解釈し、ＲＶ  ０を有するＮ個の符号ブロックをＵＥに再送する。
【００４４】
ｅＮＢがオプション１を実施し、ＵＥが実際にはダウンリンク割当てを取りそこなった場合には、ＵＥは、システマティックビットを含むＲＶ  ０を有するＮ個の符号ブロックを取りそこない、パリティビットを含むＲＶ  １を有するＮ個の符号ブロックを受信することができる。性能は、パリティビットだけを有する符号語を復号することによって劣化する可能性がある。
【００４５】
ｅＮＢがオプション２を実施し、ＵＥが実際にはダウンリンク割当てを受信した場合には、ＵＥは、システマティックビットを含むＲＶ  ０を有するＮ個の符号ブロックを２回受信する可能性がある。ｅＮＢは、効果的に、ターボ符号ではなく繰返し符号を使用して符号語を伝送し、性能は、ターボ符号利得なしで劣化する可能性がある。符号化利得の損失およびスループットの対応する損失は、多数の符号語のＡＣＫおよびＮＡＣＫが一緒にバンドルされるとき、たとえば、９：１構成を有するときにより深刻になる可能性がある。
【００４６】
別の態様では、ｅＮＢは、バンドリングに起因するＮＡＣＫとＤＴＸとの間のあいまい性を説明する形で符号ブロックを生成することができる。一設計では、ＡＣＫおよびＮＡＣＫのバンドリングに起因する符号化利得の可能な損失と戦うために、符号語の各符号ブロックを、システマティックビットとパリティビットとの両方を含むように定義することができる。ｅＮＢは、ＲＶ  ０からＮＲＶ−１までを有するＮＲＶ個の符号ブロックを生成することができる。ＲＶ  ０を有する最初の符号ブロックは、システマティックビットのみまたは大部分システマティックビットを含むことができる。ＲＶ＞０を有する各後続の符号ブロックは、システマティックビットとパリティビットとの両方を含むことができ、異なる符号ブロックは、異なるシステマティックビットおよび／または異なるパリティビットを含む。ＲＶ＞０を有する各符号ブロック内のシステマティックビットのパーセンテージは、上で説明した２つのシナリオに関する性能劣化におけるトレードオフに依存するものとすることができる。ｅＮＢは、符号語の伝送ごとに異なる符号ブロックを送信することができる。ＵＥがダウンリンク割当てを取りそこなう場合には、ＵＥは、後続の符号ブロックからシステマティックビットを受信することができる。ＵＥがダウンリンク割当てを受信したが、符号語を誤って復号した場合には、ＵＥは、後続の符号ブロックからパリティビットを受信することができる。
【００４７】
ＬＴＥは、ＰＵＣＣＨ上のＡＣＫ情報など、アップリンク制御情報（uplink control information、ＵＣＩ）を送信するための複数のＰＵＣＣＨフォーマットをサポートする。表３に、ＬＴＥによってサポートされるＰＵＣＣＨフォーマットをリストし、各ＰＵＣＣＨフォーマットの各アップリンクサブフレーム内で送信できるビット数を示す。
【表３】
0005502855.tif 000004
【００４８】
ＰＵＣＣＨフォーマット１ａは、バンドリングなしでＳＩＭＯのＡＣＫ情報の１ビットを、たとえば１つの符号語のＡＣＫまたはＮＡＣＫのための１ビットを送信するのに使用することができる。ＰＵＣＣＨフォーマット１ａは、複数の符号語の、たとえばダウンリンク伝送周期の１つまたは複数のダウンリンクサブフレーム内で受信されたすべての符号語の、１つのバンドルされたＡＣＫ／ＮＡＣＫを送信するのにも使用することができる。
【００４９】
ＰＵＣＣＨフォーマット１ｂは、バンドリングなしでＭＩＭＯのＡＣＫ情報の２ビットを、たとえば、ＭＩＭＯを用いて送信される２つの符号語のそれぞれのＡＣＫまたはＮＡＣＫの１ビットを送信するのに使用することができる。ＰＵＣＣＨフォーマット１ｂは、符号語のセットごとに１つのバンドルされたＡＣＫ／ＮＡＣＫという、符号語の２つまでのセットの２つまでのバンドルされたＡＣＫ／ＮＡＣＫを送信するのにも使用することができる。各セットは、ＭＩＭＯを用いて送信されるすべての符号語を含むことができる。各セットは、異なるダウンリンクサブフレーム内で送信される符号語を含むこともできる。バンドリングの量は、Ｎ：Ｍ構成、データ伝送に使用されるダウンリンクサブフレームの個数、各ダウンリンクサブフレーム内で送信される符号語の個数、ＭＩＭＯが使用されるか否かなどに依存するものとすることができる。
【００５０】
ＰＵＣＣＨフォーマット２、２ａ、および２ｂは、ＡＣＫ情報の３つ以上のビットを送信するのに使用することができる。たとえば、ＡＣＫ情報の１４個までのビットを、ＰＵＣＣＨフォーマット２、２ａ、または２ｂを用いて、０．７以下の符号レートで送信することができる。より少数またはより多数の情報ビットを、ＰＵＣＣＨフォーマット２、２ａ、および２ｂを用いて、より高いまたはより低い符号レートで送信することができる。
【００５１】
一設計では、すべてのＨＡＲＱプロセスのＡＣＫ情報を、合同で符号化することができる。ＨＡＲＱプロセスあたり１符号語のＳＩＭＯ伝送について、１４個の情報ビットを、次を送信するのに使用することができる。
【００５２】
・８つのＨＡＲＱプロセスのそれぞれのＤＴＸ、ＡＣＫ、またはＮＡＣＫ、あるいは
・１４個のＨＡＲＱプロセスのそれぞれのＡＣＫまたはＮＡＣＫ。
【００５３】
３つの値を、１つの符号語のＡＣＫもしくはＮＡＣＫまたはＤＴＸを伝えるためにＨＡＲＱプロセスごとに使用することができる。合計３８個の値を、８つのＨＡＲＱプロセスに使用することができ、１４個の情報ビットを用いて伝えることができ、ここで、３８＜２１４である。代替案では、２つの値を、１つの符号語のＡＣＫまたはＮＡＣＫを伝えるためにＨＡＲＱプロセスごとに使用することができる。
【００５４】
ＨＡＲＱプロセスあたり２符号語のＭＩＭＯ伝送について、１４個の情報ビットを、次を送信するのに使用することができる。
【００５５】
・６つのＨＡＲＱプロセスのそれぞれの各符号語のＡＣＫもしくはＮＡＣＫまたはＤＴＸ、あるいは
・７つのＨＡＲＱプロセスのそれぞれの各符号語のＡＣＫまたはＮＡＣＫ。
【００５６】
５つの値を、両方の符号語のＡＣＫ、両方の符号語のＮＡＣＫ、第１符号語のＡＣＫおよび第２符号語のＮＡＣＫ、第１符号語のＮＡＣＫおよび第２符号語のＡＣＫ、またはＤＴＸを伝えるためにＨＡＲＱプロセスごとに使用することができる。合計５６個の値を、６つのＨＡＲＱプロセスに使用することができ、１４個の情報ビットを用いて伝えることができ、ここで、５６＜２１４である。代替案では、４つの値を、ＨＡＲＱプロセスごとに使用することができ、この４つの値は、各符号語のＡＣＫまたはＮＡＣＫを伝えることができる。
【００５７】
別の設計では、各ＨＡＲＱプロセスのＡＣＫ情報を別々に送信することができる。ＨＡＲＱプロセスあたり１符号語のＳＩＭＯ伝送について、各ＨＡＲＱプロセスのＡＣＫ情報を、ＤＴＸを伴わずに１ビットまたはＤＴＸを伴って２ビットで送信することができる。ＨＡＲＱプロセスあたり２符号語のＭＩＭＯ伝送について、各ＨＡＲＱプロセスのＡＣＫ情報を、ＤＴＸを伴わずに２ビットまたはＤＴＸを伴って３ビットで送信することができる。
【００５８】
表３に示されたもの以外のＰＵＣＣＨフォーマットを、１つまたは複数のバンドルされたＡＣＫ／ＮＡＣＫのＡＣＫ情報を搬送するために使用することもできる。表３に示されたＰＵＣＣＨフォーマットの信号を、公に入手可能な３ＧＰＰ  ＴＳ  ３６．２１１、名称「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；  Ｐｈｙｓｉｃａｌ  Ｃｈａｎｎｅｌｓ  ａｎｄ  Ｍｏｄｕｌａｔｉｏｎ」に記載されているように生成することができる。
【００５９】
一設計では、バンドリングを、上で説明したようにバンドルされるすべての符号語のＡＣＫおよびＮＡＣＫに対する論理ＡＮＤ演算を実行することによって達成することができる。別の設計では、バンドリングを、所定のマッピングに基づいて、すべての符号語のＡＣＫ、ＮＡＣＫ、およびＤＴＸをバンドルされるＡＣＫ情報のＢビットにマッピングすることによって達成することができ、ここで、Ｂ≧１である。たとえば、第１符号語のＤＴＸ、ＡＣＫ、およびＮＡＣＫの３行および第２符号語のＤＴＸ、ＡＣＫ、およびＮＡＣＫの３列を有する３×３テーブルを定義することができる。このテーブル内の９つのエントリのそれぞれを、Ｂ個のバンドルされるビットの２Ｂ個の可能な値のうちの１つを用いてマークすることができる。たとえば、Ｂを、ＰＵＣＣＨフォーマット１ｂについて２と等しくすることができ、このテーブル内の各エントリを、「００」、「０１」、「１０」、または「１１」を用いてマークすることができる。このマッピングは、２つの符号語のＡＣＫ、ＮＡＣＫ、およびＤＴＸの所望のバンドリングを達成するように定義することができる。もう１つの例として、３つの符号語について３×３×３テーブルを定義することができ、このテーブル内の２７個のエントリのそれぞれを、Ｂ個のバンドルされるビットの２Ｂ個の可能な値のうちの１つを用いてマークすることができる。このマッピングは、３つの符号語のＡＣＫ、ＮＡＣＫ、およびＤＴＸの所望のバンドリングを達成するように定義することができる。
【００６０】
図４に、無線通信システム内でデータを受信するプロセス４００の設計を示す。プロセス４００を、受信機によって実行することができ、この受信機は、ダウンリンクでのデータ伝送についてはＵＥ、アップリンクでのデータ伝送については基地局／ｅＮＢ、またはある他のエンティティとすることができる。
【００６１】
受信機は、少なくとも１つのサブフレームで複数の符号語を受信することができ、たとえば、複数の符号語に関する特定のＲＶの符号ブロックの伝送を受信することができる（ブロック４１２）。受信機は、複数の符号語を（ｉ）各サブフレーム内に１つの符号語で、複数のサブフレームで、（ｉｉ）ＭＩＭＯ伝送を介して１つのサブフレームで、（ｉｉｉ）ＭＩＭＯ伝送を介して複数のサブフレームで、または（ｉｖ）１つまたは複数の伝送を介して１つまたは複数のサブフレームで受信することができる。ダウンリンクでのデータ伝送の一設計では、受信機は、アップリンクサブフレームより多数のダウンリンクサブフレームを有する非対称ダウンリンク−アップリンク構成を有するＴＤＤシステム内で、少なくとも１つのダウンリンクサブフレーム内で複数の符号語を受信することができる。アップリンクでのデータ伝送の一設計では、受信機は、ダウンリンクサブフレームより多数のアップリンクサブフレームを有するＴＤＤシステム内で、少なくとも１つのアップリンクサブフレーム内で複数の符号語を受信することができる。受信機は、少なくとも１つのＨＡＲＱプロセスで複数の符号語を受信することができ、各符号語のすべての伝送が、１つのＨＡＲＱプロセスで送信される。
【００６２】
受信機は、複数の符号語を復号することができ（ブロック４１４）、符号語の復号結果に基づいて各符号語のＡＣＫまたはＮＡＣＫを判定することができる（ブロック４１６）。受信機は、バンドルされたＡＣＫ情報を入手するために、複数の符号語のＡＣＫおよびＮＡＣＫをバンドルすることができる（ブロック４１８）。受信機は、複数の符号語のフィードバックとして、バンドルされたＡＣＫ情報を送信することができる（ブロック４２２）。受信機は、複数の符号語が受信された少なくとも１つのダウンリンクサブフレームに関連するアップリンクサブフレーム内で、バンドルされたＡＣＫ情報を送信することができる。
【００６３】
一設計で、バンドルされたＡＣＫ情報は、複数の符号語に関する単一のバンドルされたＡＣＫ／ＮＡＣＫを備えることができる。ブロック４１８の一設計では、受信機は、複数の符号語のＡＣＫおよびＮＡＣＫに対する論理ＡＮＤ演算に基づいて、バンドリングを実行することができる。受信機は、（ｉ）複数の符号語のすべてについてＡＣＫが入手される場合にはバンドルされたＡＣＫを、あるいは（ｉｉ）複数の符号語のいずれかについてＮＡＣＫが入手される場合にはバンドルされたＮＡＣＫを生成することができる。一設計では、受信機は、バンドルされたＮＡＣＫが複数の符号語について送信される場合に、複数の符号語の再送を受信することができる（ブロック４２２）。受信機は、バンドルされたＡＣＫが複数の符号語について送信される場合に、新しい符号語を受信することができる（ブロック４２４）。
【００６４】
ブロック４１８のもう１つの設計では、受信機は、複数の符号語のそれぞれについてＡＣＫ、ＮＡＣＫ、またはＤＴＸを入手することができる。次に、受信機は、所定のマッピングに基づいて、複数の符号語のＡＣＫ、ＮＡＣＫ、およびＤＴＸを、バンドルされたＡＣＫ情報の複数のビットにマッピングすることができる。受信機は、他の形でバンドリングを実行することもできる。
【００６５】
もう１つの設計では、バンドルされたＡＣＫ情報は、複数の符号語を用いて形成された符号語の複数のセットの複数のバンドルされたＡＣＫ／ＮＡＣＫを備えることができる。各バンドルされたＡＣＫ／ＮＡＣＫは、符号語の１つのセットのバンドルされたＡＣＫまたはバンドルされたＮＡＣＫを備えることができる。各セットは、（ｉ）１つのサブフレームで受信されたすべての符号語、（ｉｉ）ＭＩＭＯ伝送の１つのレイヤ内で送信され複数のサブフレームで受信された符号語、または（ｉｉｉ）１つまたは複数のサブフレームで受信された符号語を含むことができる。受信機は、符号語の各セットのバンドルされたＡＣＫ／ＮＡＣＫを、そのセット内の符号語のＡＣＫおよびＮＡＣＫに基づいて判定することができる。受信機は、バンドルされたＮＡＣＫが送信された符号語の各セットの再送を受信することができる。受信機は、バンドルされたＡＣＫが送信された符号語の各セットについて、符号語の新しいセットを受信することができる。
【００６６】
一設計では、受信機は、たとえば呼の開始時に上位レイヤから、ＡＣＫおよびＮＡＣＫをバンドルするための静的構成または半静的構成を入手することができる。次に、受信機は、静的構成または半静的構成に従ってバンドリングを実行することができる。別の設計では、受信機は、たとえば符号語と共に送信されたシグナリングを介して、複数の符号語のＡＣＫおよびＮＡＣＫをバンドルするための動的構成を入手することができる。次に、受信機は、動的構成に従ってバンドリングを実行することができる。
【００６７】
図５に、無線通信システム内でデータを受信する装置５００の設計を示す。装置５００は、少なくとも１つのサブフレームで複数の符号語を受信するモジュール５１２、複数の符号語を復号するモジュール５１４、符号語の復号結果に基づいて各符号語のＡＣＫまたはＮＡＣＫを判定するモジュール５１６、バンドルされたＡＣＫ情報を入手するために複数の符号語のＡＣＫおよびＮＡＣＫをバンドルするモジュール５１８、複数の符号語に関するフィードバックとしてバンドルされたＡＣＫ情報を送信するモジュール５２０、複数の符号語についてバンドルされたＮＡＣＫが送信される場合に複数の符号語の再送を受信するモジュール５２２、および複数の符号語についてバンドルされたＡＣＫが送信される場合に新しい符号語を受信するモジュール５２４を含む。
【００６８】
図６に、無線通信システム内でデータを送信するプロセス６００の設計を示す。プロセス６００を、送信機によって実行することができ、この送信機は、ダウンリンクでのデータ伝送については基地局／ｅＮＢ、アップリンクでのデータ伝送についてはＵＥ、またはある他のエンティティとすることができる。
【００６９】
送信機は、少なくとも１つのサブフレーム内で複数の符号語を受信機に送信することができる（ブロック６１２）。送信機は、複数の符号語を（ｉ）各サブフレーム内に１つの符号語で、複数のサブフレームで、（ｉｉ）ＭＩＭＯ伝送を介して１つのサブフレームで、（ｉｉｉ）ＭＩＭＯ伝送を介して複数のサブフレームで、または（ｉｖ）１つまたは複数の伝送を介して１つまたは複数のサブフレームで送信することができる。
【００７０】
送信機は、複数の符号語のＡＣＫおよびＮＡＣＫに基づいて、受信機によって生成されたバンドルされたＡＣＫ情報を受信することができる（ブロック６１４）。一設計では、送信機は、少なくとも１つのダウンリンクサブフレーム内で複数の符号語を送信することができ、アップリンクサブフレームより多数のダウンリンクサブフレームを有する非対称ダウンリンク−アップリンク構成を有するＴＤＤシステム内で、アップリンクサブフレーム内でバンドルされたＡＣＫ情報を受信することができる。別の設計では、送信機は、少なくとも１つのアップリンクサブフレーム内で複数の符号語を送信することができ、ダウンリンクサブフレームより多数のアップリンクサブフレームを有するＴＤＤシステム内で、ダウンリンクサブフレーム内でバンドルされたＡＣＫ情報を受信することができる。
【００７１】
送信機は、バンドルされたＡＣＫ情報に基づいて、複数の符号語を再送すべきなのか新しい符号語を送信すべきなのかを判定することができる（ブロック６１６）。一設計では、バンドルされたＡＣＫ情報は、複数の符号語のＡＣＫおよびＮＡＣＫの論理ＡＮＤに基づいて受信機によって入手できる単一のバンドルされたＡＣＫ／ＮＡＣＫを備えることができる。送信機は、複数の符号語についてバンドルされたＮＡＣＫが受信される場合に、複数の符号語を再送することができる（ブロック６１８）。一設計では、符号語の各再送は、バンドリングを伴うＮＡＣＫとＤＴＸとの間のあいまい性に起因する性能劣化を軽減するために、符号語のシステマティックビットおよびパリティビットを備えることができる。送信機は、複数の符号語についてバンドルされたＡＣＫが受信される場合に、新しい符号語を送信することができる（ブロック６２０）。
【００７２】
別の設計では、バンドルされたＡＣＫ情報は、複数の符号語を用いて形成された符号語の複数のセットの複数のバンドルされたＡＣＫ／ＮＡＣＫを備えることができる。送信機は、バンドルされたＮＡＣＫが受信された符号語の各セットを再送することができる。送信機は、バンドルされたＡＣＫが受信された符号語の各セットについて、符号語の新しいセットを送信することができる。
【００７３】
図７に、無線通信システム内でデータを受信する装置７００の設計を示す。装置７００は、少なくとも１つのサブフレーム内で複数の符号語を受信機に送信するモジュール７１２、複数の符号語のＡＣＫおよびＮＡＣＫに基づいて受信機によって生成されたバンドルされたＡＣＫ情報を受信するモジュール７１４、バンドルされたＡＣＫ情報に基づいて複数の符号語を再送すべきなのか新しい符号語を送信すべきなのかを判定するモジュール７１６、複数の符号語についてバンドルされたＮＡＣＫが受信される場合に複数の符号語を再送するモジュール７１８、および複数の符号語についてバンドルされたＡＣＫが受信される場合に新しい符号語を送信するモジュール７２０を含む。
【００７４】
図５および７のモジュールは、プロセッサ、電子デバイス、ハードウェアデバイス、電子コンポーネント、論理回路、メモリ、ソフトウェアコード、ファームウェアコード、その他、またはその任意の組合せを備えることができる。
【００７５】
図８は、図１の基地局／ｅＮＢのうちの１つおよびＵＥのうちの１つとすることができる基地局／ｅＮＢ  １１０およびＵＥ  １２０の設計のブロック図を示す。基地局１１０は、Ｔ個のアンテナ８３２ａから８３２ｔまでを備えることができ、ＵＥ  １２０は、Ｒ個のアンテナ８５２ａから８５２ｒまでを備えることができ、一般に、Ｔ≧１およびＲ≧１である。
【００７６】
基地局１１０では、送信プロセッサ８２０が、データ送信装置８１２から１つまたは複数のＵＥのためのデータを受け取り、各ＵＥのためのデータを処理し（たとえば、符号化し、変調し）、データ記号をすべてのＵＥに供給することができる。送信プロセッサ８２０は、コントローラ／プロセッサ８４０から制御情報（たとえば、ダウンリンク割当て）を受け取り、制御情報を処理し、制御記号を供給することもできる。送信プロセッサ８２０は、参照信号の参照記号を生成することもでき、参照記号をデータ記号および制御記号と多重化することができる。ＭＩＭＯプロセッサ８２２は、送信プロセッサ８２０からの記号（適用可能な場合に）を処理し（たとえば、事前符号化し）、Ｔ個の出力記号流れをＴ個の変調器（ＭＯＤ）８３０ａから８３０ｔまでに供給する。各変調器８３０は、出力サンプル流れを入手するために、その出力記号流れを処理することができる（たとえば、直交周波数分割多重のために）。各変調器８３０は、さらに、ダウンリンク信号を生成するために、その出力サンプル流れを条件付ける（たとえば、アナログに変換し、フィルタリングし、増幅し、アップコンバートする）ことができる。変調器８３０ａから８３０ｔまでからのＴ個のダウンリンク信号を、それぞれＴ個のアンテナ８３２ａから８３２ｔまでを介して伝送することができる。
【００７７】
ＵＥ  １２０では、アンテナ８５２ａから８５２ｒまでが、基地局１１０からダウンリンク信号を受信することができる。各アンテナ８５２は、関連する変調器（ＤＥＭＯＤ）８５４に受信信号を供給することができる。各変調器８５４は、入力サンプルを入手するためにその受信信号を条件付ける（たとえば、フィルタリングし、増幅し、ダウンコンバートし、ディジタル化する）ことができ、さらに、受信記号を入手するために入力サンプルを処理することができる（たとえば、直交周波数分割多重のために）。ＭＩＭＯ検出器８５６は、Ｒ個すべての復調器８５４ａから８５４ｒまでからの受信記号に対してＭＩＭＯ検出を実行し、検出された記号を供給することができる。受信プロセッサ８６０は、検出された記号を処理し（たとえば、復調し、復号し）、ＵＥ  １２０のためのデータをデータ受信装置８６２に供給し、復号された制御情報をコントローラ／プロセッサ８７０に供給することができる。
【００７８】
ＵＥ  １２０では、Ｒ個の出力記号流れを入手するために、データ送信装置８７８からのデータおよびコントローラ／プロセッサ８７０からの制御情報（たとえば、バンドルされたＡＣＫ情報）を、送信プロセッサ８８０によって処理し、ＭＩＭＯプロセッサ８８２によって事前符号化する（適用可能な場合に）ことができる。Ｒ個の復調器８５４ａから８５４ｒまでは、Ｒ個の出力サンプル流れを入手するためにＲ個の出力記号流れを処理することができ（たとえば、ＳＣ−ＦＤＭのために）、さらに、Ｒ個のアンテナ８５２ａから８５２ｒまでを介して伝送することができるＲ個のアップリンク信号を入手するために、出力サンプル流れを条件付けることができる。基地局１１０では、ＵＥ  １２０によって送信されたデータおよび制御情報を回復するために、ＵＥ  １２０からのアップリンク信号を、アンテナ８３２ａから８３２ｔまでによって受信し、復調器８３０ａから８３０ｔまでによって条件付け、処理し、さらに、ＭＩＭＯ検出器８３６（適用可能な場合に）および受信プロセッサ８３８によって処理することができる。受信プロセッサ８３８は、復号されたデータをデータ受信装置８３９に供給し、復号された制御情報をコントローラ／プロセッサ８４０に供給することができる。
【００７９】
コントローラ／プロセッサ８４０および８７０は、それぞれ基地局１１０およびＵＥ  １２０での動作を指示することができる。基地局１１０のプロセッサ８４０ならびに／または他のプロセッサおよびモジュールは、アップリンクでのデータ伝送に関して図４のプロセス４００、ダウンリンクでのデータ伝送に関して図６のプロセス６００、および／または本明細書で説明される技法に関する他のプロセスを実行し、または指示することができる。プロセッサ８４０および／または他のプロセッサは、アップリンクでのデータ伝送についてＡＣＫおよびＮＡＣＫをバンドルすることができる。ＵＥ  １２０のプロセッサ８７０ならびに／または他のプロセッサおよびモジュールは、ダウンリンクでのデータ伝送に関して図４のプロセス４００、アップリンクでのデータ伝送に関して図６のプロセス６００、および／または本明細書で説明される技法に関する他のプロセスを実行し、または指示することができる。プロセッサ８７０および／または他のプロセッサは、ダウンリンクでのデータ伝送についてＡＣＫおよびＮＡＣＫをバンドルすることができる。メモリ８４２および８７２は、それぞれ基地局１１０およびＵＥ  １２０のデータおよびプログラムコードを格納することができる。スケジューラ８４４は、ダウンリンクおよび／またはアップリンクでのデータ伝送のためにＵＥをスケジューリングすることができ、スケジューリングされたＵＥにリソースを割り当てることができる。
【００８０】
当業者は、情報および信号を、さまざまな異なるテクノロジおよび技法のいずれをも使用して表すことができることを理解するであろう。たとえば、上の説明全体を通じて参照される可能性があるデータ、命令、コマンド、情報、信号、ビット、記号、およびチップを、電圧、電流、電磁波、磁場または磁性粒子、光場または光粒子、あるいはその任意の組合せによって表すことができる。
【００８１】
当業者は、本明細書の開示に関連して説明されたさまざまな例示的な論理ブロック、モジュール、回路、およびアルゴリズムステップを、電子ハードウェア、コンピュータソフトウェア、またはこの両方の組合せとして実施できることを、さらに了解するであろう。ハードウェアおよびソフトウェアのこの交換可能性を明瞭に示すために、さまざまな例示的なコンポーネント、ブロック、モジュール、回路、およびステップを、上では一般にその機能性に関して説明した。そのような機能性がハードウェアまたはソフトウェアのどちらとして実施されるかは、特定の応用例および全体的なシステムに課せられる設計制約に依存する。当業者は、説明された機能性を各特定の応用例のためにさまざまな形で実施することができるが、そのような実施判断が、本開示の範囲からの逸脱を引き起こすと解釈してはならない。
【００８２】
本明細書の開示に関連して説明されたさまざまな例示的な論理ブロック、モジュール、および回路を、汎用プロセッサ、ディジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、ディスクリートゲートもしくはトランジスタ論理、ディスクリートハードウェアコンポーネント、または本明細書で説明される機能を実行するように設計されたその任意の組合せを用いて実施しまたは実行することができる。汎用プロセッサは、マイクロプロセッサとすることができるが、代替案では、プロセッサを、任意の従来のプロセッサ、コントローラ、マイクロコントローラ、または状態機械とすることができる。プロセッサを、コンピューティングデバイスの組合せ、たとえば、ＤＳＰおよびマイクロプロセッサの組合せ、複数のマイクロプロセッサ、ＤＳＰコアに関連する１つまたは複数のマイクロプロセッサ、または任意の他のそのような構成として実施することもできる。
【００８３】
本明細書の開示に関連して説明された方法またはアルゴリズムのステップを、ハードウェアで直接に、プロセッサによって実行されるソフトウェアモジュールで、またはこの２つの組合せで実施することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で既知の任意の他の形の記憶媒体に常駐することができる。例示的な記憶媒体は、プロセッサが記憶媒体から情報を読み取り、これに情報を書き込むことができるように、プロセッサに結合される。代替案では、記憶媒体を、プロセッサに一体とすることができる。プロセッサおよび記憶媒体が、ＡＳＩＣに常駐することができる。そのＡＳＩＣが、ユーザ端末に常駐することができる。代替案では、プロセッサおよび記憶媒体が、ユーザ端末内に別個のコンポーネントとして常駐することができる。
【００８４】
１つまたは複数の例示的設計では、説明された機能を、ハードウェア、ソフトウェア、ファームウェア、またはその任意の組合せで実施することができる。ソフトウェアで実施される場合に、機能を、コンピュータ可読媒体上の１つまたは複数の命令またはコードとして格納し、あるいは伝送することができる。コンピュータ可読媒体は、コンピュータ記憶媒体と、ある場所から別の場所へのコンピュータプログラムの転送を容易にするすべての媒体を含む通信媒体との両方を含む。記憶媒体は、汎用コンピュータまたは特殊目的コンピュータによってアクセスできるすべての使用可能な媒体とすることができる。限定ではなく例として、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、あるいは命令もしくはデータ構造の形で所望のプログラムコード手段を担持しまたは格納するのに使用でき、汎用コンピュータもしくは特殊目的コンピュータまたは汎用プロセッサもしくは特殊目的プロセッサによってアクセスできる任意の他の媒体を備えることができる。また、すべての接続は、当然、コンピュータ可読媒体と呼ばれる。たとえば、ソフトウェアが、ウェブサイト、サーバ、または他の遠隔ソースから同軸ケーブル、光ファイバケーブル、より対線、ディジタル加入者回線（ＤＳＬ）、または赤外線、ラジオ、およびマイクロ波などの無線テクノロジを使用して伝送される場合に、同軸ケーブル、光ファイバケーブル、より対線、ＤＳＬ、または赤外線、ラジオ、およびマイクロ波などの無線テクノロジは、媒体の定義に含まれる。ディスク（ｄｉｓｋ  ａｎｄ  ｄｉｓｃ）は、本明細書で使用されるときに、コンパクトディスク（ＣＤ）、レーザディスク、光ディスク、ディジタル多用途ディスク（ＤＶＤ）、フロッピディスク、およびｂｌｕ−ｒａｙディスクを含み、ｄｉｓｋは、通常はデータを磁気的に再生し、ｄｉｓｃは、レーザを用いてデータを光学的に再生する。上記の組合せも、コンピュータ可読媒体の範囲に含まれなければならない。
【００８５】
本開示の前の説明は、すべての当業者が本開示を作るか使用することを可能にするために提供される。本開示に対するさまざまな変更は、当業者に直ちに明白になり、本明細書で定義される包括的原理は、本開示の趣旨または範囲から逸脱せずに他の変形形態に適用することができる。したがって、本開示は、本明細書で説明される例および設計に限定されることを意図されてはおらず、本明細書で開示される原理および新規の特徴と一貫する最も広い範囲に従わなければならない。
以下に、本願出願の当初の特許請求の範囲に記載された発明を付記する。
［Ｃ１］少なくとも１つのサブフレーム内で複数の符号語を受信することと、
前記複数の符号語を復号することと、
前記符号語の復号結果に基づいて各符号語の肯定応答（ＡＣＫ）または否定応答（ＮＡＣＫ）を判定することと、
バンドルされたＡＣＫ情報を入手するために、前記複数の符号語のＡＣＫおよびＮＡＣＫをバンドルすることと、
前記複数の符号語のフィードバックとして、前記バンドルされたＡＣＫ情報を送信することと
を備える、無線通信システムでデータを受信する方法。
［Ｃ２］前記複数の符号語は、少なくとも１つのダウンリンクサブフレーム内で受信され、前記バンドルされたＡＣＫ情報は、アップリンクサブフレームより多数のダウンリンクサブフレームを有する非対称ダウンリンク−アップリンク構成を有する時分割複信（ＴＤＤ）システム内で、アップリンクサブフレーム内で送信される、Ｃ１に記載の方法。
［Ｃ３］前記複数の符号語は、各サブフレーム内に１つの符号語で、複数のサブフレーム内で受信される、Ｃ１に記載の方法。
［Ｃ４］前記複数の符号語は、ＭＩＭＯ（ｍｕｌｔｉｐｌｅ−ｉｎｐｕｔ ｍｕｌｔｉｐｌｅ−ｏｕｔｐｕｔ）伝送を介して１つのサブフレーム内で受信される、Ｃ１に記載の方法。
［Ｃ５］前記複数の符号語のＡＣＫおよびＮＡＣＫを前記バンドルすることは、
前記複数の符号語のすべてについてＡＣＫが入手される場合にバンドルされたＡＣＫを生成することと、
前記複数の符号語のいずれかについてＮＡＣＫが入手される場合にバンドルされたＮＡＣＫを生成することと
を備える、Ｃ１に記載の方法。
［Ｃ６］前記バンドルされたＡＣＫ情報は、前記複数の符号語のバンドルされたＡＣＫまたはバンドルされたＮＡＣＫを備え、前記方法は、
前記複数の符号語についてバンドルされたＮＡＣＫが送信される場合に、前記複数の符号語の再送を受信することと、
前記複数の符号語についてバンドルされたＡＣＫが送信される場合に、新しい符号語を受信することと
をさらに備える、Ｃ１に記載の方法。
［Ｃ７］前記複数の符号語のＡＣＫおよびＮＡＣＫを前記バンドルすることは、
前記複数の符号語のそれぞれのＡＣＫ、ＮＡＣＫ、または不連続伝送（ＤＴＸ）を入手することと、
所定のマッピングに基づいて、前記複数の符号語のＡＣＫ、ＮＡＣＫ、およびＤＴＸを前記バンドルされたＡＣＫ情報の複数のビットにマッピングすることと
を備える、Ｃ１に記載の方法。
［Ｃ８］前記バンドルされたＡＣＫ情報は、前記複数の符号語を用いて形成された符号語の複数のセットの複数のバンドルされたＡＣＫ／ＮＡＣＫを備え、各バンドルされたＡＣＫ／ＮＡＣＫは、符号語の１つのセットのバンドルされたＡＣＫまたはバンドルされたＮＡＣＫを備える、Ｃ１に記載の方法。
［Ｃ９］前記複数の符号語の前記ＡＣＫおよびＮＡＣＫを前記バンドルすることは、符号語の各セットの前記バンドルされたＡＣＫ／ＮＡＣＫを、符号語の前記セット内の前記符号語のＡＣＫおよびＮＡＣＫに基づいて判定することを備える、Ｃ８に記載の方法。
［Ｃ１０］バンドルされたＮＡＣＫが送信される符号語の各セットの再送を受信することと、
バンドルされたＡＣＫが送信される符号語の各セットの符号語の新しいセットを受信することと
をさらに備える、Ｃ８に記載の方法。
［Ｃ１１］符号語の各セットは、１つのサブフレーム内で受信される、Ｃ８に記載の方法。
［Ｃ１２］符号語の各セットは、複数のサブフレーム内で受信されるＭＩＭＯ（ｍｕｌｔｉｐｌｅ−ｉｎｐｕｔ ｍｕｌｔｉｐｌｅ−ｏｕｔｐｕｔ）伝送の１レイヤ内で送信される符号語を備える、Ｃ８に記載の方法。
［Ｃ１３］少なくとも１つのサブフレーム内で複数の符号語を受信し、前記複数の符号語を復号し、前記符号語の復号結果に基づいて各符号語の肯定応答（ＡＣＫ）または否定応答（ＮＡＣＫ）を判定し、バンドルされたＡＣＫ情報を入手するために前記複数の符号語のＡＣＫおよびＮＡＣＫをバンドルし、前記複数の符号語のフィードバックとして前記バンドルされたＡＣＫ情報を送信するように構成された少なくとも１つのプロセッサ
を備える、無線通信の装置。
［Ｃ１４］前記少なくとも１つのプロセッサは、前記複数の符号語のすべてについてＡＣＫが入手される場合にバンドルされたＡＣＫを生成し、前記複数の符号語のいずれかについてＮＡＣＫが入手される場合にバンドルされたＮＡＣＫを生成するように構成される、Ｃ１３に記載の装置。
［Ｃ１５］前記少なくとも１つのプロセッサは、前記複数の符号語についてバンドルされたＮＡＣＫが送信される場合に前記複数の符号語の再送を受信し、前記複数の符号語についてバンドルされたＡＣＫが送信される場合に新しい符号語を受信するように構成される、Ｃ１３に記載の装置。
［Ｃ１６］前記少なくとも１つのプロセッサは、前記複数の符号語のそれぞれのＡＣＫ、ＮＡＣＫ、または不連続伝送（ＤＴＸ）を入手し、所定のマッピングに基づいて、前記複数の符号語のＡＣＫ、ＮＡＣＫ、およびＤＴＸを前記バンドルされたＡＣＫ情報の複数のビットにマッピングするように構成される、Ｃ１３に記載の装置。
［Ｃ１７］前記バンドルされたＡＣＫ情報は、前記複数の符号語を用いて形成された符号語の複数のセットの複数のバンドルされたＡＣＫ／ＮＡＣＫを備え、各バンドルされたＡＣＫ／ＮＡＣＫは、符号語の１つのセットのバンドルされたＡＣＫまたはバンドルされたＮＡＣＫを備え、前記少なくとも１つのプロセッサは、符号語の各セットの前記バンドルされたＡＣＫ／ＮＡＣＫを、符号語の前記セット内の前記符号語のＡＣＫおよびＮＡＣＫに基づいて判定するように構成される、Ｃ１３に記載の装置。
［Ｃ１８］前記少なくとも１つのプロセッサは、バンドルされたＮＡＣＫが送信される符号語の各セットの再送を受信し、バンドルされたＡＣＫが送信される符号語の各セットの符号語の新しいセットを受信するように構成される、Ｃ１７に記載の装置。
［Ｃ１９］少なくとも１つのサブフレーム内で複数の符号語を受信するための手段と、
前記複数の符号語を復号するための手段と、
前記符号語の復号結果に基づいて各符号語の肯定応答（ＡＣＫ）または否定応答（ＮＡＣＫ）を判定するための手段と、
バンドルされたＡＣＫ情報を入手するために、前記複数の符号語のＡＣＫおよびＮＡＣＫをバンドルするための手段と、
前記複数の符号語のフィードバックとして、前記バンドルされたＡＣＫ情報を送信するための手段と
を備える、無線通信の装置。
［Ｃ２０］前記複数の符号語のＡＣＫおよびＮＡＣＫをバンドルするための前記手段は、
前記複数の符号語のすべてについてＡＣＫが入手される場合にバンドルされたＡＣＫを生成するための手段と、
前記複数の符号語のいずれかについてＮＡＣＫが入手される場合にバンドルされたＮＡＣＫを生成するための手段と
を備える、Ｃ１９に記載の装置。
［Ｃ２１］前記バンドルされたＡＣＫ情報は、前記複数の符号語のバンドルされたＡＣＫまたはバンドルされたＮＡＣＫを備え、前記装置は、
前記複数の符号語についてバンドルされたＮＡＣＫが送信される場合に、前記複数の符号語の再送を受信するための手段と、
前記複数の符号語についてバンドルされたＡＣＫが送信される場合に、新しい符号語を受信するための手段と
をさらに備える、Ｃ１９に記載の装置。
［Ｃ２２］前記複数の符号語のＡＣＫおよびＮＡＣＫをバンドルするための前記手段は、
前記複数の符号語のそれぞれのＡＣＫ、ＮＡＣＫ、または不連続伝送（ＤＴＸ）を入手するための手段と、
所定のマッピングに基づいて、前記複数の符号語のＡＣＫ、ＮＡＣＫ、およびＤＴＸを前記バンドルされたＡＣＫ情報の複数のビットにマッピングするための手段と
を備える、Ｃ１９に記載の装置。
［Ｃ２３］前記バンドルされたＡＣＫ情報は、前記複数の符号語を用いて形成された符号語の複数のセットの複数のバンドルされたＡＣＫ／ＮＡＣＫを備え、各バンドルされたＡＣＫ／ＮＡＣＫは、符号語の１つのセットのバンドルされたＡＣＫまたはバンドルされたＮＡＣＫを備え、前記複数の符号語の前記ＡＣＫおよびＮＡＣＫをバンドルするための前記手段は、
符号語の各セットの前記バンドルされたＡＣＫ／ＮＡＣＫを、符号語の前記セット内の前記符号語のＡＣＫおよびＮＡＣＫに基づいて判定するための手段
を備える、Ｃ１９に記載の装置。
［Ｃ２４］バンドルされたＮＡＣＫが送信される符号語の各セットの再送を受信するための手段と、
バンドルされたＡＣＫが送信される符号語の各セットの符号語の新しいセットを受信するための手段と
をさらに備える、Ｃ２３に記載の装置。
［Ｃ２５］少なくとも１つのコンピュータに少なくとも１つのサブフレーム内で複数の符号語を受信させるコードと、
前記少なくとも１つのコンピュータに前記複数の符号語を復号させるコードと、
前記少なくとも１つのコンピュータに前記符号語の復号結果に基づいて各符号語の肯定応答（ＡＣＫ）または否定応答（ＮＡＣＫ）を判定させるコードと、
前記少なくとも１つのコンピュータに、バンドルされたＡＣＫ情報を入手するために、前記複数の符号語のＡＣＫおよびＮＡＣＫをバンドルさせるコードと、
前記少なくとも１つのコンピュータに、前記複数の符号語のフィードバックとして、前記バンドルされたＡＣＫ情報を送信させるコードと
を備えるコンピュータ可読媒体
を備えるコンピュータプログラム製品。
［Ｃ２６］少なくとも１つのサブフレーム内で複数の符号語を受信機に送信することと、
前記複数の符号語の肯定応答（ＡＣＫ）および否定応答（ＮＡＣＫ）に基づいて前記受信機によって生成されるバンドルされたＡＣＫ情報を受信することと、
前記バンドルされたＡＣＫ情報に基づいて、前記複数の符号語を再送すべきなのか新しい符号語を送信すべきなのかを判定することと
を備える、無線通信システムでデータを送信する方法。
［Ｃ２７］前記複数の符号語は、少なくとも１つのダウンリンクサブフレーム内で送信され、前記バンドルされたＡＣＫ情報は、アップリンクサブフレームより多数のダウンリンクサブフレームを有する非対称ダウンリンク−アップリンク構成を有する時分割複信（ＴＤＤ）システム内で、アップリンクサブフレーム内で受信される、Ｃ２６に記載の方法。
［Ｃ２８］前記複数の符号語は、各サブフレーム内に１つの符号語で、複数のサブフレーム内で送信される、Ｃ２６に記載の方法。
［Ｃ２９］前記複数の符号語は、ＭＩＭＯ（ｍｕｌｔｉｐｌｅ−ｉｎｐｕｔ ｍｕｌｔｉｐｌｅ−ｏｕｔｐｕｔ）伝送を介して１つのサブフレーム内で送信される、Ｃ２６に記載の方法。
［Ｃ３０］前記バンドルされたＡＣＫ情報は、前記複数の符号語のすべてについてＡＣＫが前記受信機によって入手される場合にバンドルされたＡＣＫを、または前記複数の符号語のいずれかについてＮＡＣＫが前記受信機によって入手される場合にバンドルされたＮＡＣＫを備える、Ｃ２６に記載の方法。
［Ｃ３１］前記複数の符号語についてバンドルされたＮＡＣＫが受信される場合に、前記複数の符号語を再送することと、
前記複数の符号語についてバンドルされたＡＣＫが受信される場合に、新しい符号語を送信することと
をさらに備える、Ｃ２６に記載の方法。
［Ｃ３２］前記複数の符号語を前記再送することは、
前記符号語のシステマティックビットおよびパリティビットを備える各符号語の再送を送信すること
を備える、Ｃ３１に記載の方法。
［Ｃ３３］前記バンドルされたＡＣＫ情報は、前記複数の符号語を用いて形成された符号語の複数のセットの複数のバンドルされたＡＣＫ／ＮＡＣＫを備え、各バンドルされたＡＣＫ／ＮＡＣＫは、符号語の１つのセットのバンドルされたＡＣＫまたはバンドルされたＮＡＣＫを備える、Ｃ２６に記載の方法。
［Ｃ３４］バンドルされたＮＡＣＫが受信される符号語の各セットを再送することと、
バンドルされたＡＣＫが受信される符号語の各セットについて符号語の新しいセットを送信することと
をさらに備える、Ｃ３３に記載の方法。
［Ｃ３５］少なくとも１つのサブフレーム内で複数の符号語を受信機に送信し、前記複数の符号語の肯定応答（ＡＣＫ）および否定応答（ＮＡＣＫ）に基づいて前記受信機によって生成されるバンドルされたＡＣＫ情報を受信し、前記バンドルされたＡＣＫ情報に基づいて、前記複数の符号語を再送すべきなのか新しい符号語を送信すべきなのかを判定するように構成された少なくとも１つのプロセッサ
を備える、無線通信の装置。
［Ｃ３６］前記バンドルされたＡＣＫ情報は、前記複数の符号語のバンドルされたＡＣＫまたはバンドルされたＮＡＣＫを備え、前記少なくとも１つのプロセッサは、バンドルされたＮＡＣＫが受信される場合に前記複数の符号語を再送し、バンドルされたＡＣＫが受信される場合に新しい符号語を送信するように構成される、Ｃ３５に記載の装置。
［Ｃ３７］前記バンドルされたＡＣＫ情報は、前記複数の符号語を用いて形成された符号語の複数のセットの複数のバンドルされたＡＣＫ／ＮＡＣＫを備え、各バンドルされたＡＣＫ／ＮＡＣＫは、符号語の１つのセットのバンドルされたＡＣＫまたはバンドルされたＮＡＣＫを備え、前記少なくとも１つのプロセッサは、バンドルされたＮＡＣＫが受信される符号語の各セットを再送し、バンドルされたＡＣＫが受信される符号語の各セットについて符号語の新しいセットを送信するように構成される、Ｃ３５に記載の装置。
【図１】
0005502855.tif 000005
【図２】
0005502855.tif 000006
【図３】
0005502855.tif 000007
【図４】
0005502855.tif 000008
【図５】
0005502855.tif 000009
【図６】
0005502855.tif 000010
【図７】
0005502855.tif 000011
【図８】
0005502855.tif 000012